(57)【要約】【課題】利用者にとって視認が容易になるように表示位置を変化させ、無理な姿勢で映像コンテンツを視聴するのを避ける。【解決手段】表示手段１は、映像コンテンツを表示するとともに利用者の周囲において映像コンテンツを表示する表示位置を選択可能である。姿勢検出手段２は、リクライニング機能を有するベッドにおいて、背当たり部の角度を検出する角度検出器を用いる。位置選択手段５では、表示手段１で選択可能な表示位置のうちで視認がもっとも容易になる表示位置を、角度検出器で検出される角度範囲に関係付けてあり、表示位置制御手段６は、姿勢検出手段２により検出された角度が属する角度範囲を位置選択手段５から選択し、当該角度範囲に関係付けた表示位置に映像コンテンツを表示させる。【選択図】図１
2009092950.tif 000002
【特許請求の範囲】
【請求項１】
映像コンテンツを表示するとともに利用者の周囲において映像コンテンツを表示する表示位置を選択可能である表示手段と、利用者の姿勢を検出する姿勢検出手段と、利用者の姿勢と表示手段で選択可能な表示位置のうちで当該姿勢において視認がもっとも容易になる表示位置とを関係付けた位置選択手段と、姿勢検出手段により検出された姿勢を位置選択手段に照合することにより抽出される表示位置に映像コンテンツを表示させる表示位置制御手段とを備えることを特徴とする表示システム。
【請求項２】
前記姿勢検出手段は、利用者の背中を支持する背当たり部を有するとともに背当たり部の角度が調節可能なリクライニング機構を有する家具に付設され、リクライニング機構により選択された背当たり部の角度を利用者の姿勢とすることを特徴とする請求項１記載の表示システム。
【請求項３】
前記家具はベッドであって利用者が覚醒しているか睡眠しているかを検出する睡眠検知手段が付設され、前記表示手段は睡眠検知手段により利用者の睡眠が検出されると映像コンテンツの表示を停止することを特徴とする請求項２記載の表示システム。
【請求項４】
前記姿勢検出手段は、利用者を撮像する撮像手段と、撮像手段により得られた利用者の画像から利用者の顔の向きと体の向きとの少なくとも一方を利用者の姿勢として検出する画像処理手段とを備えることを特徴とする請求項１記載の表示システム。
【請求項５】
映像情報を含む映像コンテンツを複数記憶したコンテンツ記憶手段と、コンテンツ記憶手段に対して映像コンテンツの選択を指示するとともに選択した映像コンテンツの読出の開始・停止を指示する読出制御手段とが付加され、コンテンツ記憶手段と前記表示手段との間に通信網が設けられていることを特徴とする請求項１ないし請求項４のいずれか１項に記載の表示システム。
【請求項６】
前記表示手段は、表示位置ごとに配置された複数台のディスプレイ装置であることを特徴とする請求項１ないし請求項５のいずれか１項に記載の表示システム。
【請求項７】
前記表示手段は、投影方向が変更可能なプロジェクタであることを特徴とする請求項１ないし請求項５のいずれか１項に記載の表示システム。
【請求項８】
前記表示手段としてディスプレイ装置の画面の一部領域を用い、前記表示位置制御手段は表示手段に用いる領域の位置を変化させることを特徴とする請求項１ないし請求項６のいずれか１項に記載の表示システム。
【発明の詳細な説明】
【技術分野】
【０００１】
本発明は、映像コンテンツを表示手段に提示する表示システムに関するものである。
【背景技術】
【０００２】
従来から、利用者による視認が容易になることを目的として、表示手段の画面上にウィンドウを表示する技術が知られている（たとえば、特許文献１参照）。特許文献１に記載の技術は、コンピュータのヒューマンインターフェイスとして表示装置の画面に表示されるウィンドウを、利用者の目線の位置に合わせて表示するというものである。具体的には、卓上ディスプレイにおいては利用者の目線が画面の上部に集中することに鑑みてウィンドウの中央位置を画面の上部に設定し、プロジェクタでは利用者の目線が画面の下部に集中することに鑑みてウィンドウを中央やや下部に表示するというものである。
【０００３】
つまり、特許文献１に記載のものは１つの画面内で、視線の集中する方向をあらかじめ決めておき、その部位にウィンドウを表示し、視線の動きを低減することにより、目の疲労を軽減しようとするものである。
【特許文献１】特開２００３−２２３２５４号公報
【発明の開示】
【発明が解決しようとする課題】
【０００４】
ところで、特許文献１に記載のものは、画面上でウィンドウを表示する位置を、表示装置の種類に応じて利用者の視線が集中すると考えられる位置とするものであり、利用者が顔の向きを変化させるなどして利用者の視線の方向に変化があっても、ウィンドウの位置は変化するものではない。しかも、利用者の視線が変化しても画面の位置は変化せず、ウィンドウ以外の表示内容の表示位置は利用者の視線の位置を反映していない。
【０００５】
したがって、たとえば、テレビ放送や映画の画像を表示装置に表示しているときに、利用者の姿勢が座っている状態から寝そべった状態になったとすると、利用者は首を曲げて無理な姿勢で視聴し、肩凝りの原因になるなどの問題が生じる。
【０００６】
本発明は上記事由に鑑みて為されたものであり、その目的は、利用者にとって視認が容易になるように表示位置を変化させることによって、無理な姿勢で映像コンテンツを視聴するのを避けることができる表示システムを提供することにある。
【課題を解決するための手段】
【０００７】
請求項１の発明は、映像コンテンツを表示するとともに利用者の周囲において映像コンテンツを表示する表示位置を選択可能である表示手段と、利用者の姿勢を検出する姿勢検出手段と、利用者の姿勢と表示手段で選択可能な表示位置のうちで当該姿勢において視認がもっとも容易になる表示位置とを関係付けた位置選択手段と、姿勢検出手段により検出された姿勢を位置選択手段に照合することにより抽出される表示位置に映像コンテンツを表示させる表示位置制御手段とを備えることを特徴とする。
【０００８】
請求項２の発明では、請求項１の発明において、前記姿勢検出手段は、利用者の背中を支持する背当たり部を有するとともに背当たり部の角度が調節可能なリクライニング機構を有する家具に付設され、リクライニング機構により選択された背当たり部の角度を利用者の姿勢とすることを特徴とする。
【０００９】
請求項３の発明では、請求項２の発明において、前記家具はベッドであって利用者が覚醒しているか睡眠しているかを検出する睡眠検知手段が付設され、前記表示手段は睡眠検知手段により利用者の睡眠が検出されると映像コンテンツの表示を停止することを特徴とする。
【００１０】
請求項４の発明では、請求項１の発明において、前記姿勢検出手段は、利用者を撮像する撮像手段と、撮像手段により得られた利用者の画像から利用者の顔の向きと体の向きとの少なくとも一方を利用者の姿勢として検出する画像処理手段とを備えることを特徴とする。
【００１１】
請求項５の発明では、請求項１ないし請求項４のいずれかの発明において、映像情報を含む映像コンテンツを複数記憶したコンテンツ記憶手段と、コンテンツ記憶手段に対して映像コンテンツの選択を指示するとともに選択した映像コンテンツの読出の開始・停止を指示する読出制御手段とが付加され、コンテンツ記憶手段と前記表示手段との間に通信網が設けられていることを特徴とする。
【００１２】
請求項６の発明は、請求項１ないし請求項５のいずれかの発明において、前記表示手段は、表示位置ごとに配置された複数台のディスプレイ装置であることを特徴とする。
【００１３】
請求項７の発明は、請求項１ないし請求項５のいずれかの発明において、前記表示手段は、投影方向が変更可能なプロジェクタであることを特徴とする。
【００１４】
請求項８の発明は、請求項１ないし請求項６のいずれかの発明において、前記表示手段としてディスプレイ装置の画面の一部領域を用い、前記表示位置制御手段は表示手段に用いる領域の位置を変化させることを特徴とする。
【発明の効果】
【００１５】
請求項１の発明の構成によれば、映像コンテンツの表示位置を選択可能とした表示手段を用いるとともに、姿勢検出手段によって利用者の姿勢を検出し、映像コンテンツの表示位置を、姿勢検出手段により検出した利用者の姿勢に応じて視認が容易になるように選択するので、利用者が姿勢を変えると表示位置が変化し、利用者は首を曲げるなどの無理な姿勢をとることなく比較的楽な姿勢で映像コンテンツの視聴を続けることができる。
【００１６】
請求項２の発明の構成によれば、リクライニング機構を有するマッサージチェア、ベッドなどの家具において、背当たり部の角度を利用者の姿勢の判断に用いているから、角度を検出するだけの簡単な構成で、表示位置を選択することができ、しかもリクライニング機構で選択された角度に応じて表示位置を変化させるから、たとえば、リクライニング機構により背当たり部の角度を変化させても首の角度を変化させることなく、映像コンテンツの表示を正面に観ることが可能になる。
【００１７】
請求項３の発明の構成によれば、ベッドの上の利用者が覚醒しているか睡眠しているかを判断し、睡眠しているときには表示手段への映像コンテンツの表示を停止するから、ベッドの上で映像コンテンツを観ている間に利用者が寝てしまうと、表示手段への表示を自動的に停止させることができ、消し忘れを防止することができる。
【００１８】
請求項４の発明の構成によれば、撮像手段で撮像した利用者を含む画像内で、利用者の顔の向きと体の向きとの少なくとも一方を検出し、顔の向きと体の向きとに応じて表示手段の表示位置を選択するから、利用者が顔あるいは体を向けている方向に映像コンテンツを表示することができ、利用者にとっては視認の容易な楽な姿勢で映像コンテンツを視聴することが可能になる。
【００１９】
請求項５の発明の構成によれば、複数種類の映像コンテンツを記憶しているコンテンツ記憶手段と表示手段との間に通信網を設けているので、コンテンツ記憶手段を遠方のコンピュータサーバなどに設けることにより、多種類の映像コンテンツを選択して利用することが可能になる。
【００２０】
請求項６の発明の構成によれば、ディスプレイ装置を表示位置ごとに配置するから、たとえば、複数の壁面と天井面とにそれぞれディスプレイ装置を配置しておけば、表示された映像コンテンツが壁面と天井面とに跨ることがなく、また表示位置がディスプレイ装置の配置位置によって決定されるから、表示位置の調整が不要である。
【００２１】
請求項７の発明の構成によれば、投影方向が変更可能なプロジェクタを表示手段に用いているから、１台のプロジェクタにより複数の表示位置を選択することができ、初期コストを少なくすることができる。また、表示位置に対して設置場所が１箇所に固定されることがなく、同じ表示位置でも設置場所を選択できるという利点がある。
【００２２】
請求項８の発明の構成によれば、ディスプレイ装置の画面内に表示手段となる領域を設けているので、表示手段となる領域を画面内で任意の位置に移動させることができる。したがって、たとえば１枚の壁面の全面をディスプレイ装置の画面とし、画面内の一部領域である表示手段を表示位置制御手段により指示された表示位置に移動させることが可能になり、表示位置の自由度が高くなる。
【発明を実施するための最良の形態】
【００２３】
（実施形態１）
本実施形態は、図２に示すように、部屋Ｒの中における表示位置Ｐ１〜Ｐ３が選択可能な表示手段１を設けてあり、室内Ｒにはリクライニング機構（図示せず）を備えたベッドＢが家具として配置されている場合を想定する。リクライニング機構を備える家具は、ベッドのほかマッサージチェアなどであってもよい。また、表示手段１としてプロジェクタを用い、プロジェクタ１の出射側に配置したミラーＭ１，Ｍ２の角度を調節することによって、表示位置Ｐ１〜Ｐ３を選択する構成を採用する。もちろん、プロジェクタ１から映像コンテンツを投影する方位角と傾斜角とを調節するモータ駆動可能な台座（つまり、パンとチルトとの調節が可能な台座）と、画像の歪みを電気的または光学的に補正する手段とを組み合わせることにより、表示位置Ｐ１〜Ｐ３を選択可能としてもよい。表示手段１は、プロジェクタのほか、薄型のディスプレイ装置を表示位置Ｐ１〜Ｐ３ごとに配置する構成、薄型かつ大画面のディスプレイ装置における画面の一部領域を表示手段１に用い、表示手段１に用いる領域を変化させることにより表示位置Ｐ１〜Ｐ３を変化させる構成などを採用することができる。
【００２４】
表示手段１にプロジェクタを用いると、表示位置Ｐ１〜Ｐ３に対してプロジェクタの配置位置を一意に決めなくてもよいから、表示手段１の配置位置の自由度が高くなる。一方、表示手段１にディスプレイ装置を用いると、表示位置Ｐ１〜Ｐ３がディスプレイ装置の位置によって決定されるから、プロジェクタを用いる場合よりも表示位置Ｐ１〜Ｐ３の調整が簡単になる。さらに、ディスプレイ装置の画面の一部領域を表示手段１に用いる場合には、ディスプレイ装置の画面において表示手段１として利用していない領域に他の映像コンテンツを表示したりディスプレイ装置を照明に用いたりすることが可能になる。しかも、画面内の任意の位置を表示手段１に用いることができるから、表示位置Ｐ１〜Ｐ３を任意の位置に設定でき表示位置Ｐ１〜Ｐ３の自由度が高くなる。
【００２５】
表示位置Ｐ１〜Ｐ３は任意の位置を選択できる構成（位置が連続的に変化する構成）を採用してもよいが、ここでは、３位置から選択されるものとする。つまり、ベッドＢの背当たり部Ｂａの角度を変化させたときに、ベッドＢの上の利用者の視線方向のほぼ前方に位置するように表示位置Ｐ１〜Ｐ３が設定される（表示位置Ｐ１〜Ｐ３を３位置とする場合でも、背当たり部Ｂａの角度は必ずしも３位置でなくてもよい）。
【００２６】
表示手段１に表示される映像コンテンツは、図１に示すように、インターネットのような広域網ＮＴ１に設けたコンピュータサーバからなる映像配信サーバＳＶ１に設けたコンテンツ記憶手段３に記憶されている。コンテンツ記憶手段３には、映像情報を含む映像コンテンツが複数種類記憶されている。コンテンツ記憶手段３は宅内にも設けてもよい。映像配信サーバＳＶ１に設けたコンテンツ記憶手段３からコンテンツを読み出して表示手段１に表示する技術は、オンデマンドの映像配信技術を用いる。映像コンテンツは、映像情報のみを含む場合もあるが、通常は音声情報が付加されており、映像と音声とを表示手段１に提示する。したがって、表示手段１にはスピーカを備えるものを用いる。なお、映像コンテンツは、必ずしもコンテンツ記憶手段３に記憶したものでなくてもよく、テレビ放送の画像やＤＶＤなどの再生画像でもよい。
【００２７】
表示手段１を配置した部屋Ｒには、利用者の姿勢を検出する姿勢検出手段２が設けられる。姿勢検出手段２は、ベッドＢのリクライニング機構に付設されており、リクライニング機構による背当たり部Ｂａの角度を検出する角度検出器２ａにより構成される。なお、背当たり部Ｂａの角度変化は、手動によるものと電動によるものとのいずれでもよい。背当たり部Ｂａの角度は、ベッドＢの上で背当たり部Ｂａに背中を当てている利用者が正面を向いているとすれば、当該利用者の目線の向きを反映していることになる。顔あるいは体を前に向けていれば、正面方向は背当たり部Ｂａの角度によってほぼ決まるから、角度検出器２ａにより検出した角度を、利用者の姿勢として扱うことができる。
【００２８】
ここでは、背当たり部Ｂａの水平面に対する角度をθ度とし、利用者の目の位置から水平面に対して（θ＋９０）度の方向に延長した直線が表示手段１の画面の代表点を通るように、背当たり部Ｂａの角度θに対する表示位置Ｐ１〜Ｐ３を設定する。ただし、表示位置Ｐ１〜Ｐ３は厳密に設定されるわけではなく、表示位置Ｐ１〜Ｐ３には比較的広い許容範囲がある。すなわち、背当たり部Ｂａの各角度に対して利用者が首を曲げたりすることなく楽な姿勢で表示手段１の画面を視野内に収めることができる位置であれば、表示位置Ｐ１〜Ｐ３として選択することができる。
【００２９】
ところで、映像配信サーバＳＶ１などのコンテンツ記憶手段３に蓄積された映像コンテンツの中から表示手段１に提示する映像コンテンツを選択するとともに、選択した映像コンテンツを表示手段１に表示させる処理は、表示手段１とともに設けた読出制御手段４が行う。読出制御手段４は、利用者からの指示などに応じてコンテンツ記憶手段３に対して読み出す映像コンテンツを指定し、読出の開始・停止を指示する。
【００３０】
読出制御手段４が読み出した映像コンテンツをどの表示位置Ｐ１〜Ｐ３に表示するかは、位置選択手段５において規定した角度検出器２ａにより検出した角度と表示位置Ｐ１〜Ｐ３との関係によって決定される。位置選択手段５は、図３に示すように、角度検出器２ａにより検出される角度の範囲ごとに表示位置Ｐ１〜Ｐ３を関係付けたデータテーブルを有する。位置選択手段５では、各角度範囲においてもっとも視認が容易になる（首を曲げることなく視認することができる）表示位置Ｐ１〜Ｐ３が関係付けられる。
【００３１】
角度検出器２ａにより検出される角度は表示位置制御手段６に入力され、表示位置制御手段６では、当該角度を位置選択手段５に照合し表示位置Ｐ１〜Ｐ３を抽出する。表示位置制御手段６は、こうして抽出された表示位置Ｐ１〜Ｐ３に、読出制御手段４がコンテンツ記憶手段３から読み出した映像コンテンツを表示する。
【００３２】
したがって、映像コンテンツの視聴中にベッドＢの背当たり部Ｂａの角度を変化させることにより、位置選択手段５に規定されている角度範囲が変化すると（つまり、一つの角度範囲内の角度から他の角度範囲の角度に変化すると）、表示位置制御手段６は、画面を表示する位置を変化させ、利用者にとって楽な姿勢で視認することができる表示位置Ｐ１〜Ｐ３に映像コンテンツが表示されることになる。
【００３３】
本実施形態では、表示位置Ｐ１〜Ｐ３は、複数位置（本実施形態では３位置）から選択されるから、各表示位置Ｐ１〜Ｐ３ごとに角度範囲を関係付けているが、表示位置を連続的に選択できる場合には、角度範囲を狭く設定することができる。また、角度範囲の境界付近で表示位置Ｐ１〜Ｐ３が不安定に変化することがないように、背当たり部Ｂａにおいて選択可能な角度として角度範囲の境界付近の角度が含まれないようにする。あるいはまた、角度範囲が一旦変化すると元の角度範囲に戻りにくくなるようにヒステリシスを付与する（たとえば、表示位置Ｐ１から表示位置Ｐ２への角度の境界を８０度、表示位置Ｐ２から表示位置Ｐ１への角度の境界を７０度とするように、表示位置Ｐ１〜Ｐ３の変化方向に応じて角度範囲の境界を変化させる）。
【００３４】
ところで、ベッドＢの背当たり部Ｂａの角度変化に応じて表示位置Ｐ１〜Ｐ３を変化させるものであるから、利用者は映像コンテンツを視聴している途中で眠ってしまうことがある。この場合、表示手段１による映像コンテンツの表示を継続していると、表示手段１により電力が無駄に消費される上に、部屋Ｒが暗くならず場合によっては音声も出力され続けるために睡眠の質が低下することが考えられる。
【００３５】
そこで、ベッドＢにはベッドＢの上の利用者が覚醒しているか睡眠しているかを検出する睡眠検知手段７を付設している。睡眠検知手段７は、ベッドＢの上での体動を検出する振動センサないし圧力センサを用いることができ、また人体から放射される熱線量を監視する熱線センサを用いることができる。振動センサ、圧力センサ、熱線センサのいずれにおいても体動の減少を検出することによって覚醒状態から睡眠状態への変化を検出することが可能である。振動センサや圧力センサを用いる場合には、心拍数を検出することによって睡眠状態を検出する構成を採用してもよい。また、熱線センサを用いる場合に、輻射式体温計と同様に熱線量の変化から体温変化を検出して覚醒状態と睡眠状態との判別の目安に用いるようにしてもよい。さらには、ＴＶカメラにより利用者の体動の程度を監視してもよい。たとえば、異なる時刻に撮像した画像の画素毎の濃淡値について、同位置の画素同士の差分を求めて画面全体で差分の総和を求め、この総和が規定した閾値以下になると体動が少なくなり睡眠状態になったと判断する。
【００３６】
表示手段１に映像コンテンツが表示されている期間において、睡眠検知手段７により睡眠状態が検知されると、睡眠検知手段７は表示手段１に通知し、表示手段１では映像コンテンツの表示を停止させる。このように、ベッドＢの上で映像コンテンツを視聴している利用者が睡眠状態か覚醒状態かを判断し、利用者が寝てしまうと表示手段１への表示を自動的に停止させることにより、表示装置１の消し忘れを防止することができる。
【００３７】
なお、本実施形態の構成は、上述した各機能の装置の間で広域網ＮＴ１を用いずに信号伝送を可能にした構成であっても実現可能である。また、読出制御手段４，位置選択手段５、表示位置制御手段６はコンピュータで適宜のプログラムを実行することにより構成される。
【００３８】
（実施形態２）
本実施形態は、図４に示すように、姿勢検出手段２が、利用者を含む空間領域（部屋Ｒの中）を撮像するＴＶカメラからなる撮像手段２ｂと、撮像手段２ｂにより得られた利用者を含む画像から利用者の顔の向きと体の向きとの少なくとも一方を利用者の姿勢として検出する画像処理装置２ｃとにより構成されているものである。以下では、顔の向きを検出する場合を例示するが、体の向きを検出する場合も同様であり、顔の向きと体の向きとの両方を総合して判断する構成を採用することも可能である。画像処理装置２ｃにより顔の向きを検出するには、顔の位置を認識した後、顔内の規定の特徴点を抽出し、特徴点の位置関係を求める。
【００３９】
顔の向きを検出した後の動作は、実施形態１において角度検出器２ａにより角度を求めた後の動作と同様である。すなわち、位置選択手段５には、表示位置を顔の向きに関係付けたデータテーブルが設けられ、表示位置制御手段６では、姿勢検出手段２が検出した顔の向きを位置選択手段５と照合し表示位置を抽出し、抽出した表示位置に映像コンテンツを表示する。顔の向きは、利用者の体幹に対する向きを示しても表示位置との位置関係が決まらないから、部屋Ｒを囲む各面の名称および当該面内での部位により顔の向きを規定する。
【００４０】
たとえば、壁面１、壁面２、壁面３、壁面４、天井面の各面と、各面における部位（壁面であれば上部、中央部、下部など、天井面であれば中央部、壁面１寄り、壁面２寄りなど）とにより顔の向きを規定すればよい。要するに、表示手段１が選択できる表示位置のうち、顔の向きの正面に近い位置の表示位置に対応付けておけばよい。したがって、表示手段１において選択可能な表示位置の個数と、顔の向きを判別する種類とは同数でよい。
【００４１】
本実施形態では、表示手段１としてプロジェクタを用いるほか、部屋Ｒを囲む各面（壁面や天井面）のうち表示位置とする面にそれぞれ薄型のディスプレイ装置を配置しておき、さらに各ディスプレイ装置の画面内の一部領域を表示手段１として用いるようにするのが望ましい。この構成を採用すれば、顔の向きに応じて、映像コンテンツをどのディスプレイ装置に表示するかを選択し、さらに１台のディスプレイ装置の画面内でどの領域を表示手段１に用いるかを選択することにより、顔の向きに応じた任意の位置に映像コンテンツを表示することが可能になる。
【００４２】
また、角度を用いる場合と同様に、顔の向きについても、隣接する表示位置においては、表示位置の移動が生じにくくなるようにヒステリシスを付与している。ヒステリシスの付与は、画像処理手段２ｃにおける顔の向きの判定条件（特徴点の位置関係から顔の向きを判断する際の条件）によって行う。
【００４３】
ところで、本実施形態では、撮像手段２ｂを用いて利用者を撮像しているから、利用者の動作を解析する機能を付加して利用者の特定の動作（身振り）により各種指示を行うようにしてもよい。たとえば、表示手段１のオン・オフを利用者の指や手の動きなどによって制御してもよい。あるいはまた、利用者の動作により映像コンテンツの選択に用いてもよい。他の構成および動作は実施形態１と同様である。
【００４４】
また、実施形態１では利用者がリクライニング機能を有するベッドＢで映像コンテンツを視聴する場合を例示し、実施形態２を説明する図４では利用者が椅子状の家具に着座している場合を例示しているが、リクライニング機能を持たないベッドＢにおいて映像コンテンツを視聴する場合であっても、実施形態２の構成を採用すれば、顔の向きや体の向きを検出し、映像コンテンツを表示する表示位置を変化させることができるのはいうまでもない。
【図面の簡単な説明】
【００４５】
【図１】実施形態１を示すブロック図である。
【図２】同上の要部構成図である。
【図３】同上に用いる位置選択手段の構成例を示す図である。
【図４】実施形態２を示す要部構成図である。
【符号の説明】
【００４６】
１  表示手段
２  姿勢検出手段
２ａ  角度検出器
２ｂ  撮像手段
２ｃ  画像処理手段
３  コンテンツ記憶手段
４  読出制御手段
５  位置選択手段
６  表示位置制御手段
７  睡眠検知手段
Ｂ  ベッド（家具）
Ｂａ  背当たり部
Ｍ  住宅
ＮＴ１  広域網（通信網）
Ｐ１〜Ｐ３  表示位置
ＳＶ１  映像配信サーバ
【図１】
2009092950.tif 000003
【図２】
2009092950.tif 000004
【図３】
2009092950.tif 000005
【図４】
2009092950.tif 000006